(57)【特許請求の範囲】
【請求項１】
用紙の搬送路を有するフレームと、
前記搬送路を挟んで対置され、互いに平行にかつ前記搬送路を直角に横切ってのびる第１および第２のシャフトと、を備え、
前記第２のシャフトは前記フレームよって軸まわりに回転可能に支持され、さらに、
前記フレームに取り付けられ、前記第２のシャフトを回転させるモータと、
前記フレームに取り付けられて前記第１のシャフトを軸まわりに回転可能に支持するとともに、前記第１のシャフトを前記第２のシャフトに沿ってシフトさせ得るシャフト横移動ユニットと、
前記第１および第２のシャフト間に設けられ、前記第１のシャフトを前記第２のシャフトに同期させて回転させる伝動機構と、を備え、
前記第１のシャフトには、ドブ断ち刃の対のうちの一方の刃が複数、一定のピッチで固定される一方、前記第２のシャフトにおける前記一方の刃に対応する位置には、前記ドブ断ち刃の対のうちの他方の刃が前記第２のシャフトの軸方向にスライド可能にかつ前記第２のシャフトと一体的に回転可能に取り付けられ、
前記第２のシャフトにおける前記ドブ断ち刃の組の両外側にそれぞれ環状のストッパが嵌め込み固定され、前記第２のシャフトにおける、前記ストッパとそれに隣接する前記ドブ断ち刃との間、および互いに隣接する前記ドブ断ち刃間にそれぞれ圧縮バネが嵌め込まれ、前記圧縮バネの付勢力によって、前記ドブ断ち刃の対のうちの前記他方の刃が、対応する前記一方の刃の前記第１のシャフトの前記シフトに伴う移動に追従して当該一方の刃と常時係合するようになっており、用紙が、回転する前記ドブ断ち刃の対間を通って搬送される間にドブ断ちされるものであることを特徴とする用紙断裁装置。
【請求項２】
前記シャフト横移動ユニットは、
前記フレームに取り付けられて前記第２のシャフトに平行にのびる少なくとも１本のスライドガイドと、
前記搬送路の両側に配置され、前記スライドガイドによって貫通されて前記スライドガイドに沿ってスライド自在とされた一対の支持プレートと、を有し、前記一対の支持プレート間には前記第１のシャフトが軸まわりに回転可能に支持され、
前記シャフト横移動ユニットは、さらに、
前記スライドガイドに平行に前記一対の支持プレートを貫通してのび、前記フレームに対して軸まわりに回転可能に支持された送りねじを有し、前記一対の支持プレートはそれぞれ前記送りねじと螺合し、
前記シャフト横移動ユニットは、さらに、
前記フレームに取り付けられ、前記送りねじを回転駆動させる別のモータを有し、
前記送りねじが前記別のモータによって正逆回転せしめられることによって、前記一対の支持プレートが前記スライドガイドに沿って往復スライド運動し、
前記伝動機構は、
前記第１のシャフトに同軸に取り付けられた第１の歯車と、
前記第２のシャフトに同軸に取り付けられて前記第１の歯車に常時係合する第２の歯車と、を有しているものであることを特徴とする請求項１に記載の用紙断裁装置。
【発明の詳細な説明】
【技術分野】
【０００１】
本発明は、用紙を搬送しつつ搬送方向に沿ってドブ断ちする用紙断裁装置に関するものである。
【背景技術】
【０００２】
名刺、ハガキおよびチケット等の製品の製造は、通常、用紙に所定の面付け印刷を行い、印刷後の用紙を用紙断裁装置を用いてドブ断ちして、印刷面毎に切り離すことによってなされる。
【０００３】
この種の用紙断裁装置としては、例えば、特許文献１に記載されたものがある。
特許文献１に記載された用紙断裁装置は、用紙の搬送路を挟んで上下に配置され、それぞれ搬送路に対し直角にのびる上側および下側シャフトを備え、上側シャフトにはドブ断ち刃の対のうちの一方の刃が複数、一定のピッチで固定され、下側シャフトには、ドブ断ち刃の対のうちの他方の刃が上記一方の刃に対応する位置に固定されて、当該一方の刃に係合している。
【０００４】
そして、上側および下側シャフトが同期して回転駆動せしめられることによって、ドブ断ち刃の各対が回転し、用紙がドブ断ち刃の対の間を通過せしめられる間にドブ断ちがなされる。
【０００５】
ところで、上記のような製品の製造においては、１枚の用紙から得られる製品数を最大にするため、１枚の用紙において最大の面付け数を確保することが重要である。
そして、この最大の面付け数が確保され得る面付けのレイアウトは、通常、使用される用紙の幅に応じて異なる。
【０００６】
その一方で、従来の用紙断裁装置では、ドブ断ち刃の対間のピッチは変更せずにドブ断ち刃の対の位置を変更するには、上側および下側シャフトのそれぞれについて、ドブ断ち刃の固定を解除した後、ドブ断ち刃の位置調節を行い、再び固定する必要がある。
しかし、この作業は非常に面倒であり、時間を要する。
【０００７】
そのため、従来技術においては、通常、用紙断裁装置のドブ断ち刃の位置は、用紙断裁装置に導入され得る最大幅の用紙において最大の面付け数が確保されるように設定されており、よって、最大幅よりも小さい幅の用紙を使用して同一規格の製品を製造する場合には、当該小さい幅の用紙の面付けを用紙断裁装置のドブ断ち刃の位置に合わせる必要があり、その結果、当該用紙幅について最大の面付け数が確保できず、生産効率が大きく低下するという問題があった。
【先行技術文献】
【特許文献】
【０００８】
【特許文献１】特開２００６−１５４７０号公報
【発明の概要】
【発明が解決しようとする課題】
【０００９】
したがって、本発明の課題は、同一規格の製品を製造する場合に、用紙の幅が異なっても、容易に、最大の面付け数を確保できる用紙断裁装置を提供することにある。
【課題を解決するための手段】
【００１０】
上記課題を解決するため、本発明によれば、用紙の搬送路を有するフレームと、前記搬送路を挟んで対置され、互いに平行にかつ前記搬送路を直角に横切ってのびる第１および第２のシャフトと、を備え、前記第２のシャフトは前記フレームよって軸まわりに回転可能に支持され、さらに、前記フレームに取り付けられ、前記第２のシャフトを回転させるモータと、前記フレームに取り付けられて前記第１のシャフトを軸まわりに回転可能に支持するとともに、前記第１のシャフトを前記第２のシャフトに沿ってシフトさせ得るシャフト横移動ユニットと、前記第１および第２のシャフト間に設けられ、前記第１のシャフトを前記第２のシャフトに同期させて回転させる伝動機構と、を備え、前記第１のシャフトには、ドブ断ち刃の対のうちの一方の刃が複数、一定のピッチで固定される一方、前記第２のシャフトにおける前記一方の刃に対応する位置には、前記ドブ断ち刃の対のうちの他方の刃が前記第２のシャフトの軸方向にスライド可能にかつ前記第２のシャフトと一体的に回転可能に取り付けられ、前記第２のシャフトにおける前記ドブ断ち刃の組の両外側にそれぞれ環状のストッパが嵌め込み固定され、前記第２のシャフトにおける、前記ストッパとそれに隣接する前記ドブ断ち刃との間、および互いに隣接する前記ドブ断ち刃間にそれぞれ圧縮バネが嵌め込まれ、前記圧縮バネの付勢力によって、前記ドブ断ち刃の対のうちの前記他方の刃が、対応する前記一方の刃の前記第１のシャフトの前記シフトに伴う移動に追従して当該一方の刃と常時係合するようになっており、用紙が、前記ドブ断ち刃の対間を通って搬送される間にドブ断ちされるものであることを特徴とする用紙断裁装置が提供される。
【００１１】
本発明の好ましい実施例によれば、前記シャフト横移動ユニットは、前記フレームに取り付けられて前記第２のシャフトに平行にのびる少なくとも１本のスライドガイドと、前記搬送路の両側に配置され、前記スライドガイドによって貫通されて前記スライドガイドに沿ってスライド自在とされた一対の支持プレートと、を有し、前記一対の支持プレート間には前記第１のシャフトが軸まわりに回転可能に支持され、前記シャフト横移動ユニットは、さらに、前記スライドガイドに平行に前記一対の支持プレートを貫通してのび、前記フレームに対して軸まわりに回転可能に支持された送りねじを有し、前記一対の支持プレートはそれぞれ前記送りねじと螺合し、前記シャフト横移動ユニットは、さらに、前記フレームに取り付けられ、前記送りねじを回転駆動させる別のモータを有し、前記送りねじが前記別のモータによって正逆回転せしめられることによって、前記一対の支持プレートが前記スライドガイドに沿って往復スライド運動し、前記伝動機構は、前記第１のシャフトに同軸に取り付けられた第１の歯車と、前記第２のシャフトに同軸に取り付けられて前記第１の歯車に常時係合する第２の歯車と、を有している。
【発明の効果】
【００１２】
本発明によれば、用紙の搬送路を挟んで第１および第２のシャフトを対向配置し、第１のシャフトを第２のシャフトに沿ってシフト可能に支持し、第１のシャフトには、ドブ断ち刃の対のうちの一方の刃を複数、一定のピッチで固定し、それに対応して、第２のシャフトには、ドブ断ち刃の対のうちの他方の刃を第２のシャフトの軸方向にスライド可能に取り付け、さらに、他方の刃のそれぞれの両側に圧縮バネを配置し、圧縮バネの付勢力によって、他方の刃が、対応する一方の刃の第１のシャフトのシフトに伴う移動に追従して当該一方の刃と常時係合するようにしている。
【００１３】
こうして、第１のシャフトをシフトさせるだけで、容易に、ドブ断ち刃の各対をピッチを固定したままで用紙の幅方向に移動させることができる。
それによって、同一の規格の製品を異なる幅の用紙を用いて製造する場合に、それぞれの用紙幅について最大の面付け数が確保できる面付けを行い、用紙の面付けのレイアウトに一致するようにドブ断ち刃の位置を容易に調整することができ、よって生産効率が低下することはない。
【図面の簡単な説明】
【００１４】
【図１】本発明の１実施例による用紙断裁装置を示す図であり、（Ａ）は搬送方向に見た正面図であり、（Ｂ）は側面図である。
【図２】図１の用紙断裁装置のドブ断ち刃がピッチを変えずに右方向にシフトした状態を示す図１（Ａ）に類似の図である。
【図３】図１の用紙断裁装置に導入される用紙の面付けのレイアウトを例示した平面図である。
【発明を実施するための形態】
【００１５】
以下、添付図面を参照しつつ、本発明の構成を好ましい実施例に基づいて説明する。
図１は、本発明の１実施例による用紙断裁装置を示す図であり、（Ａ）は搬送方向に見た正面図であり、（Ｂ）は側面図である。また、図２は、図１の用紙断裁装置のドブ断ち刃がピッチを変えずに右方向にシフトした状態を示す図１（Ａ）に類似の図である。
【００１６】
図１および図２を参照して、本発明による用紙断裁装置は、用紙Ｓの搬送路Ｐを有するフレーム１と、搬送路Ｐを挟んで対置され、互いに平行にかつ搬送路Ｐを直角に横切ってのびる第１および第２のシャフト２、３を備えている。
【００１７】
第２のシャフト３は、軸受４ａ、４ｂを介してフレーム１に取り付けられ、フレーム１によって軸まわりに回転可能に支持されている。さらに、第２のシャフト３の一端にプーリー５ａが取り付けられている。
また、フレーム１にはモータ６が取り付けられ、その駆動軸は第２のシャフト３に平行にのびている。モータ６の駆動軸にはプーリー５ｂが取り付けられ、プーリー５ｂおよびプーリー５ａ間にはエンドレスベルト７が掛け渡され、そして、第２のシャフト３がモータ６によって回転駆動されるようになっている。
【００１８】
用紙断裁装置は、また、フレーム１に取り付けられて第１のシャフト２を軸まわりに回転可能に支持するとともに、第１のシャフト２を第２のシャフト３に沿ってシフトさせ得るシャフト横移動ユニット８を備えている。
【００１９】
シャフト横移動ユニット８は、この実施例では、フレーム１に取り付けられて第２のシャフト３に平行にのびる少なくとも１本（この実施例では２本）のスライドガイド９と、搬送路Ｐの両側に配置され、スライドガイド９によって貫通されてスライドガイド９に沿ってスライド自在とされた一対の支持プレート１０ａ、１０ｂを有している。この場合、スライドガイド９は、各支持プレート１０ａ、１０ｂに設けられたスリーブ１１ａ、１１ｂに挿通されている。
【００２０】
なお、この実施例では、２本のスライドガイド９が第２のシャフト３の上下に配置されるが、図１（Ｂ）から明らかなように、一対の支持プレート１０ａ、１０ｂには、第２のシャフト３およびそれに取り付けられた構成部材が通過し得る大きさの切欠きｖが設けられ、それによって、一対の支持プレート１０ａ、１０ｂのスライドが妨げられないようになっている。
【００２１】
一対の支持プレート１０ａ、１０ｂ間には、第１のシャフト２が軸受１２ａ、１２ｂを介して取り付けられ、第１のシャフト２は一対の支持プレート１０ａ、１０ｂ間に軸まわりに回転可能に支持されている。
【００２２】
、
シャフト横移動ユニット８は、さらに、スライドガイド９に平行に一対の支持プレート１０ａ、１０ｂを貫通してのび、フレーム１に対して軸まわりに回転可能に支持された送りねじ１３を有している。一対の支持プレート１０ａ、１０ｂはそれぞれ送りねじ１３と螺合している。
【００２３】
送りねじ１３の一端には歯車１４ａが同軸に取り付けられている。また、フレーム１にモータ１５が取り付けられ、その駆動軸が送りねじ１３に平行にのびている。モータ１５の駆動軸には歯車１４ｂが同軸に取り付けられ、この歯車１４ｂには歯車１４ａが係合している。
【００２４】
こうして、送りねじ１３がモータ１５によって正逆回転せしめられることによって、一対の支持プレート１０ａ、１０ｂがスライドガイド９に沿って往復スライド運動し得る。そして、一対の支持プレート１０ａ、１０ｂの往復スライド運動に伴って、第１のシャフト２が第２のシャフト３に沿ってシフトする。
【００２５】
また、第１のシャフト２の一端は支持プレート１０ａの外側に突出し、この突出部には、歯車１６ａが同軸に取り付けられている。一方、第２のシャフト３上のこの歯車１６ａに対応する部分には歯車１６ｂが同軸に取り付けられ、歯車１６ａに係合している。歯車１６ｂは、第１のシャフト２がシフトする距離に対応する軸方向長さを有している。
それによって、歯車１６ａと歯車１６ｂは、第１のシャフト２のシフトとは無関係に、常時係合状態にあり、そして、第１のシャフト２は常時第２のシャフト３と同期して回転駆動され得る。
【００２６】
第１のシャフト２には、ドブ断ち刃の対のうちの上刃１７が複数、一定のピッチで固定されている。
また、第２のシャフト３における、第１のシャフト２上の上刃１７に対応する位置には、ドブ断ち刃の対のうちの下刃１８が取り付けられている。この場合、第２のシャフト３の外周面に軸方向にのびるガイド溝１９が形成され、第２のシャフト３に嵌め込まれた下刃１８にスライドピン２０が差込み固定されてガイド溝１９内に進入し、それによって、各下刃１８は、第２のシャフト３の軸方向にスライドし得るとともに、第２のシャフト３と一体的に回転し得るようになっている。
【００２７】
また、第２のシャフト３における下刃１８の組の両外側にそれぞれ環状のストッパ２１が嵌め込み固定されている。さらに、第２のシャフト３における、ストッパ２１とそれに隣接する下刃１８との間、および互いに隣接する下刃１８間にそれぞれ圧縮バネ２２が嵌め込まれている。
そして、圧縮バネ２２の付勢力によって、下刃１８が、対応する上刃１７の第１のシャフト２のシフトに伴う移動に追従して当該上刃１７と常時係合するようになっている。
すなわち、図１（Ａ）および図２に示すように、第１のシャフト２がシフトするだけで、容易に、ドブ断ち刃の各対１７、１８が、そのピッチが固定された状態で、用紙Ｓの幅方向に移動する。
【００２８】
こうして、用紙Ｓの面付けのレイアウトに応じてドブ断ち刃の対１７、１８の位置調整がなされた後、第１および第２のシャフト２、３が同期して回転駆動され、用紙が、回転するドブ断ち刃の対１７、１８間を通って搬送される間にドブ断ちされる。
【００２９】
図３は、図１および図２に示した用紙断裁装置に導入される用紙の面付けのレイアウトを例示した平面図である。
図３（Ａ）を参照して、この実施例では、用紙断裁装置が５つのドブ断ち刃の対１７、１８を備えており、この用紙断裁装置に導入され得る最大幅の用紙Ｓ１について、最大の面付け数が確保される面付けは、用紙Ｓ１の幅方向に、６つの製品ｍが製品ｍ間にドブｄを挟んで並べられたレイアウトになる。
【００３０】
一方、用紙Ｓ１よりも小さい幅の用紙Ｓ２を用いてこれと同一規格の製品ｍを製造する場合、ドブ断ち刃の対１７、１８の位置が図３（Ａ）と同様であれば、用紙Ｓ２の面付けを図３（Ｂ）に示すようなレイアウトにする必要があり、用紙Ｓ２の幅方向に４つの製品ｍしか得られない。
【００３１】
これに対し、用紙Ｓ２の幅方向に最大の面付け数が確保される面付けは、図３（Ｃ）に示すように、用紙Ｓ２の幅方向に５つの製品ｍが製品間にドブｄを挟んで並べられたレイアウトになる。そして、ドブ断ち刃の対１７、１８を右方向にシフトさせれば、この面付けのレイアウトに一致させることができる。
【００３２】
こうして、本発明の用紙断裁装置によれば、同一の規格の製品を異なる幅の用紙を用いて製造する場合に、それぞれの用紙幅について最大の面付け数が確保できる面付けを行い、用紙の面付けのレイアウトに一致するようにドブ断ち刃の位置を容易に調整することができ、よって生産効率が低下することはない。
【符号の説明】
【００３３】
１  フレーム
２  第１のシャフト
３  第２のシャフト
４ａ、４ｂ  軸受
５ａ、５ｂ  プーリー
６  モータ
７  エンドレスベルト
８  シャフト横移動ユニット
９  スライドガイド
１０ａ、１０ｂ  支持プレート
１１ａ、１１ｂ  スリーブ
１２ａ、１２ｂ  軸受
１３  送りねじ
１４ａ、１４ｂ  歯車
１５  モータ
１６ａ、１６ｂ  歯車
１７  ドブ断ち刃の対のうちの上刃
１８  ドブ断ち刃の対のうちの下刃
１９  ガイド溝
２０  スライドピン
２１  ストッパ
２２  圧縮バネ
ｄ  ドブ
ｍ  製品
Ｐ  搬送路
Ｓ、Ｓ１、Ｓ２  用紙
ｖ  切欠き
【図１】
0006482076.tif 000002
【図２】
0006482076.tif 000003
【図３】
0006482076.tif 000004